(57)【要約】【課題】ゼムクリップを使用する場合よりも厚みが嵩んだ書類あるいは板状のものにも挟み付けできるクリップを得る。ゼムクリップのように深く挟み付けるクリップに限らず、浅く挟み付けることもできるクリップを得る。【解決手段】線材が一連に平たく折り曲がって成り、外辺Ａ１、Ａ２、Ａ３、Ａ４で成る外枠と、内辺Ｂ１、Ｂ２、Ｂ３で成る内枠とを有し、外枠の一端に、開いた挟み付け口（Ｃ）を有して成るものとした。使用方法として、被挟持体（Ｐ）の縁に、挟み付け口を下方に向けて引っ掛け、挟み付け口が上方に向くまで回転させて据える方法を取るものとし、回転操作に於いて、被挟持体（Ｐ）の縁から外れないよう内辺Ｂ２が一定の長さ（横幅）を成すものとした。【選択図】  図２
2017061141.tif 000002
【特許請求の範囲】
【請求項１】
線材が一連に平たく折り曲がって成る、
外辺Ａ１、Ａ２、Ａ３、Ａ４で成る外枠と、外枠の一端から外枠の内側に曲り込んだ内辺Ｂ１、Ｂ２、Ｂ３で成る内枠とを有し、
外枠の一端に、開いた挟み付け口（Ｃ）を有して成る、
使用方法として、書類など被挟持体の縁に、挟み付け口（Ｃ）を下方に向けて引っ掛け、挟み付け口（Ｃ）が上方に向くまで回転させて据える方法を取る、ことを特徴とするクリップ。
【請求項２】
回転操作に適うよう、内辺Ｂ２が一定の長さ（横幅）を成す請求項１記載のクリップ。
【請求項３】
内辺Ｂ２と外辺Ａ２とが、近接した形態を成す請求項１、又は２記載のクリップ。
【請求項４】
外辺Ａ４の長さ（横幅）が、外辺Ａ３の長さ（縦幅）よりも長幅で成る請求項１、又は２、又は３記載のクリップ。
【発明の詳細な説明】
【技術分野】
【０００１】
厚みの嵩んだ書類に使用するクリップである。
【背景技術】
【０００２】
従来から、便利に使われているゼムクリップは、厚みの嵩んだ書類や板状のものに挟み付けると挟み口が押し広がってしまう欠点がある。また、縦長い形態を成し、深く挟み付けるものであって、浅く挟み付ける使用には適さない。
【先行技術文献】
【特許文献】
【０００３】
【特許文献１】実開平１−９１５８４
【発明の概要】
【発明が解決しようとする課題】
【０００４】
厚みが嵩んだ書類に挟み付けできるクリップを得る。
ホッチキスで書類を綴じるように、浅く挟み付けできるクリップを得る。
【課題を解決するための手段】
【０００５】
本クリップは、外辺Ａ１、Ａ２、Ａ３、Ａ４で成る外枠と、内辺Ｂ１、Ｂ２、Ｂ３で成る内枠を有し、外辺Ａ４は、挟む対象物の厚みに対応する横幅を成すとともに、厚みに順応するためのかたちとして略直状を成し、外枠の一端には、開いた挟み付け口（Ｃ）をもつものである。
【０００６】
使用方法として、図３に示すように、挟み付け口を下方に向けて挟む対象物の縁に引っ掛け、挟み付け口が上方に向くまで回転させて据える、とする方法を取るものである。
尚、回転させる過程で、挟む対象物から外れないよう内辺Ｂ２が、一定の横幅（即ち、一定の長さ）をもつ、とするものである。
【発明の効果】
【０００７】
厚みが嵩んだ書類にも使用できるクリップを得た。
縦長の形態、あるいは横長の形態など、任意にデザインできるクリップを得た。
【０００８】
外枠の一端に挟み付け口（Ｃ）を設け、挟み付ける方法として、挟み付け口（Ｃ）を下方に向けて被挟持体の縁に引っ掛け、挟み付け口（Ｃ）が上方に向くまで回転させて据える、とする方法をとることにより、厚みが嵩んだ書類にも使用できるものとなった。また、浅く挟み付けることができるなど、任意の形態にデザインできるものとなった。
【図面の簡単な説明】
【０００９】
【図１】従来のクリップ（特許文献１のクリップ）である。
【図２】本発明のクリップである。
【図３】本クリップの使い方を説明する図である。
【図４】本発明のクリップである。
【図５】本発明のクリップである。
【図６】本発明のクリップである。
【図７】書類を挟み綴じた様子を示した図である。
【図８】本発明のクリップである。
【図９】本発明のクリップである。
【発明を実施するための形態】
【００１０】
以下、図を通して説明する。
本クリップは、線材を一連に平たく折り曲げて成すクリップである。依って、平面図として見たかたちで説明する。
【００１１】
図１を説明する。
図１は、従来のクリップ（特許文献１のクリップ）である。
特許文献１のクリップは、ゼムクリップの一端に挿入口を設けただけのものであって、ゼムクリップそのものである。
仮に、特許文献１に於ける挿入口が、本発明の挟み付け口（Ｃ）と同じであるとしても、特許文献１のクリップは、本発明のクリップと同様に、回転させて据える（挟み付ける）方法を以って使用できるものではない、また、同様に使用できるものには成し得ない制約を抱えている。
【００１２】
特許文献１のクリップ、即ち、ゼムクリップの成り立ち、あるいは制約について、図１(１)(２)を以って説明する。
【００１３】
ゼムクリップの内枠（内辺Ｂ１と内辺Ｂ３）は、一本の指先の腹で押え得る横幅（ｗ）の内に収め、挟み付けに際して指先で押し出し得る形態を成す、というものである。
市販されているゼムクリップを調査してみると、内辺Ｂ１と内辺Ｂ３との外間隔（ｗ：使用の線材の太さを含めた間隔)は、概ね１２ミリほどが上限になっている。
内辺Ｂ１と内辺Ｂ３との内間隔（ｖ：使用の線材の太さを含まない間隔、即ち、空間）が、概ね１５ミリ以上のものになると指先で押し難くなり、実用に適さないものになってしまう。
【００１４】
上記したように、ゼムクリップは、使用する方法、即ち、挟み付ける方法に制約された形状、形態を成したものである、ということができる。
【００１５】
本発明は、使用する方法を変えることによって、ゼムクリップの使い方では叶えられない形状、形態、及び機能を得ることができる、と考えたものである。
【００１６】
本クリップは、例えば、内辺Ｂ１と内辺Ｂ３との内間隔（ｖ）が、１５ミリ、あるいは２０ミリ、あるいはそれ以上であっても実用できるよう、ゼムクリップとは異なる挟み付け方法をとる、とするものである。
【００１７】
特許文献１のクリップは、挟み付け口（挿入口）を下方に向けて縦方向に押し下げて挟み付ける方法をとるものであるのに対し、
本発明のクリップは、挟み付け口（Ｃ）を下方に向けて、書類など対象物（Ｐ）の縁に引っ掛け、挟み付け口（Ｃ）が上方に向くまで回転させて据える（挟み付ける）、とする使用方法をとるものである。
そのためのかたちとして、外枠の一端に開いた挟み付け口（Ｃ）を設けたものである。
【００１８】
この点、特許文献１のものは、前記したように内辺Ｂ１と内辺Ｂ３を１本の指先の腹で押え得るものとしており、自ずと、内辺Ｂ２の長さが短くなる、即ち、横幅が狭幅になる。それ故に、本クリップのように回転させて据える方法での使用に適うものではない。云いかえるなら、回転させて据える操作の途上で、クリップの長手方向（内辺Ｂ１、Ｂ３）が横方に向いた瞬間（即ち、内辺Ｂ２が縦に向いた瞬間）に挟む対象物から外れてしまう。
【００１９】
本クリップは、回転させる操作時に被挟持体の縁から外れないよう、内辺Ｂ２について一定の長さ（横幅）をもつ、とするものである。
また、本クリップは、厚みの厚めのものに使用できるクリップとして、厚みに順応できるよう外辺Ａ４を直状に延びるかたちにするとともに、厚みに対応する一定の長さ（横幅）をもつ、とするものである。因みに、上記の横幅は挟み付けた状態に於いて安定した状態に据わる適切な手段ともなる。
【００２０】
上記したように、本クリップの特徴は、回転させて据える方法を取るものであること、そのために外枠の一端に開いた挟み付け口（Ｃ）をもち、回転させる途上で挟み付ける対象物から外れないよう、内辺Ｂ２が一定の長さ（横幅）をもつ、としたものである。
回転させて据える方法を取ることによって、ゼムクリップの場合であれば、内辺Ｂ２と外辺Ａ２との間隔（ｎ）は、一定の差し出し幅をもつが、本クリップはその必要がなくなり、また、指押えとするための横幅（ｗ）をもつ必要もなくなる、即ち、内辺Ｂ１と内辺Ｂ３との間隔（ｗ）が、一本の指先の腹で押え得ない間隔であっても良い。また、横幅（ｅ）が、縦幅（ｍ）より長くても良い。内辺Ｂ２と外辺Ａ２との間隔（ｎ）は任意の間隔で良い、あるいは近接するものであっても良い、とするものである。
【００２１】
前記したように、本発明のクリップは、ゼムクリップでは挟み得ない厚みの厚い書類にも使用できるクリップであって、厚みに順応するための形態として、外辺Ａ４は略直状に延びた形態を成すものである。
因みに、ゼムクリップであっても実開昭５８−９７６８の第２図に示されたもののように、外辺Ａ４が略直状に延びる形態を成したものもあるが、前記したように、内辺Ｂ１と内辺Ｂ３との外間隔（ｗ）は、概ね１２ミリほどを上限とするものであって、外辺Ａ４の長さ（横幅）は任意に設定できるものではなく、ゼムクリップとしての使い方から受ける制約から免れることはできない。
【００２２】
以上に、特許文献１のクリップと、本発明との違いについて説明した。
以下、本発明のクリップについて説明する。
【００２３】
図２を説明する。
図２は、本発明のクリップである。線材を平たく折り曲げて成したもので、外辺Ａ１、Ａ２、Ａ３、Ａ４で成る外枠と、内辺Ｂ１、Ｂ２、Ｂ３で成る内枠を有し、外辺Ａ４は略直状に延びて成る。尚、外枠の一端に開いた挟み付け口（Ｃ）を設けたものである。
【００２４】
図３を説明する。
図３は、本クリップの使い方、即ち、挟み付ける操作を説明する図である。
図３(１)に示すように、挟み付け口を下方に向けて被挟持体（横線で表示）の縁に挟み付け口を引っ掛け、図３(２)に示すように、回転させながら外辺Ａ１、Ａ２を挟み付け、図３(３)に示すように、更に回転させ、図３(４)に示す状態、即ち、挟み付け口が上方に向いた状態に据える、と云うものである。
因みに、本クリップを取り外す際には、ゼムクリップと同様に上方に引き抜く、又は、挟み付け操作の回転方向に、更に回転させて抜き外すのも良い。
【００２５】
図４を説明する。
本クリップは、図４(１)(２)(３)(４)に示すように、外辺Ａ２と内辺Ｂ２は任意のかたちで向かい合うものであって良い。即ち、外辺Ａ２及び内辺Ｂ２は、それぞれ直状でも、折り曲がっても、湾曲しても良い。
また、外辺Ａ２と内辺Ｂ２の関係は、寄り添うかたちであっても、寄り添わないかたちであっても良い。即ち、外辺Ａ２と内辺Ｂ２との間隔は、任意であって良い。
【００２６】
図５を説明する。
図２、４に示したクリップは、外辺Ａ１と内辺Ｂ１、並びに外辺Ａ３と内辺Ｂ３が、近接した状態で並行するかたちをとったものであるのに対し、図５に示すものは、間隔をとって並行するかたちをとったものである。
厚みが厚い書類あるいは板に挟み付ける用途のクリップについては、外辺Ａ１と内辺Ｂ１、並びに外辺Ａ３と内辺Ｂ３の関係は、やや間隔をとったものにすると使い易い。
云うならば、任意の間隔、任意のかたちに設定して良い。
【００２７】
図６を説明する。
図６(１)(２)(３)は、浅く挟み付けるクリップである。
【００２８】
図２、４、５に示したものは、縦長の形態を成すものであるのに対し、図６に示すものは横長の形態を成すものである。
図６(１)は、図６(２)より横幅が短いものを示した。図６(２)は、図６(１)より横幅が長いものを示した。
図６に示すものは、図７に示すように、ホッチキスで綴じる如きに浅い位置で挟み押えることができるよう、縦幅を短くした形態のものである。
即ち、外辺Ａ４の長さ（横幅）よりも、外辺Ａ３の長さ（縦幅）の方が短い形態を成す、と云うものでもある。
また、図６に示すものは、浅く挟み付けるクリップである、とすることから、内辺Ｂ２と外辺Ａ２との間隔が無いほどに、近接した形態をとったものである。
【００２９】
図６(１)と図６(２)に示したものは、縦の長さを同じにしたものである。同じ材質、同じ太さ（径）の線材を使用した場合、図６(２)に示したものより、図６(１)に示したものの方がバネは強く働く、云いかえるなら、図６(１)に示したものより図６(２)に示したものの方がバネは緩く働くものになる。
また、同じ材質の線材を用い、同じ大きさのクリップを成すとき、太い線材を用いればバネは硬く強く働き、細い線材を用いればバネは緩く弱く働くものになる。
クリップを作る（製造する）際には、どの程度の厚みの書類に使用するクリップとするかを想定した上で、その厚みに対応する横幅と、バネの効き具合とを見定めることが大事である。
【００３０】
図６(３)は、内辺Ｂ２を内側に折り曲げて、外辺Ａ２との間隔をとったものである。
内辺Ｂ２を内側に折り曲げたのは、縦幅を広げないかたちのもとで、外辺Ａ２との間隔をとったものである。
この間隔は、挟み口が押し広がってしまったとき、手直しをする上で、内枠を押し戻し易くするためのかたちである。
【００３１】
図７を説明する。
図７は、図６に示したクリップを使用して、ホッチキスで止めた如く浅い位置で綴じた様子を示した図である。
【００３２】
図８を説明する。
図８は、挟み付け口の実施例を示したものである。
図２、４、５、６に示した挟み付け口は、外辺Ａ１の端を外側に折り曲げて挟み付け口（Ｃ）を成したものであるが、図８(１)(２)に示すように、外側にまるめ折っても良い、あるいは図８(３)に示すように、内側に折り曲げるかたちをとっても良い。
尚、まるめ折るかたち、あるいは折り曲げるかたちは、任意であって良い。
【００３３】
図８(４)に示すように、挟み付け口（Ｃ）を、外辺Ａ１の端に隣り合う外辺Ａ４と内辺Ｂ１との角（かど）を取るかたちで設けるのも良い。
因みに、本書に於いては、図８(４)のように、外辺Ａ１の端と隣り合う位置に設ける挟み付け口（Ｃ）についても、図８(１)(２)(３)に示した挟み付け口と同じく「外枠の一端に成す開いた挟み付け口」の文言あるいは表現に含むものとする。
【００３４】
図９を説明する。
図９(１)(２)(３)(４)に示すクリップも、本発明のクリップである。
図９は、本クリップについて、機能を損なわない限り任意の形態を成して良いことを説明するもので、それぞれが実施例の１つである。
【００３５】
実施例に於いては、クリップの大きさに対応して、＃１６（１.６ミリ径）、＃１４（２.０ミリ径）、＃１２（２.６ミリ径）の金属線を使用した。
使用途やクリップの大きさに対応してバネの効き具合を勘案し、材料、材質、太さ（径）などを選択することが大切である。
本クリップは、使用する材料、材質、太さなどについて限定するものではなく、任意に決めて良い。
【００３６】
本クリップは、その機能を損なわない限り、全体あるいは部分について大きさ（サイズ）、輪郭、形状、形態、デザインなど任意に決めて良い。
本クリップは、使途に応じて小さいサイズのものから大きいサイズのものまで多様な形態をとるものである。
【００３７】
本発明は、全体の図を通して発明の全容を説明しているものであって、個々の図で説明した技術内容によって、請求項に記載する技術内容は限定されるものではない。
【産業上の利用可能性】
【００３８】
便利に使用されているゼムクリップも、厚みが嵩んだ書類に使用できない不便がある。
例えば、山形クリップを使用した場合には、クリップ自体の厚みが邪魔になる。
本出願のクリップは、厚みが嵩んだ書類にも便利に使えて、ゼムクリップのように邪魔にならないかたちを以って挟むことができるものである。
【符号の説明】
【００３９】
Ａ      外辺Ａ１、Ａ２、Ａ３、Ａ４で成る外枠
Ｂ      内辺Ｂ１、Ｂ２、Ｂ３で成る内枠
Ｃ      挟み付け口、挟み付けるための開いた間口
Ｐ      被挟持体、挟む対象物、書類、板
【図１】
2017061141.tif 000003
【図２】
2017061141.tif 000004
【図３】
2017061141.tif 000005
【図４】
2017061141.tif 000006
【図５】
2017061141.tif 000007
【図６】
2017061141.tif 000008
【図７】
2017061141.tif 000009
【図８】
2017061141.tif 000010
【図９】
2017061141.tif 000011
【手続補正書】
【提出日】平成28年11月28日(2016.11.28)
【手続補正１】
【補正対象書類名】明細書
【補正対象項目名】全文
【補正方法】変更
【補正の内容】
【発明の詳細な説明】
【技術分野】
【０００１】
厚みの嵩んだ書類に使用するクリップである。
【背景技術】
【０００２】
従来から、便利に使われているゼムクリップは、厚みの嵩んだ書類や板状のものに挟み付けると挟み口が押し広がってしまう欠点がある。また、縦長い形態を成し、深く挟み付けるものであって、浅く挟み付ける使用には適さない。
【先行技術文献】
【特許文献】
【０００３】
【特許文献１】実開平１−９１５８４
【発明の概要】
【発明が解決しようとする課題】
【０００４】
厚みが嵩んだ書類に挟み付けできるクリップを得る。
ホッチキスで書類を綴じるように、浅く挟み付けできるクリップを得る。
【課題を解決するための手段】
【０００５】
本クリップは、外辺Ａ１、Ａ２、Ａ３、Ａ４で成る外枠と、内辺Ｂ１、Ｂ２、Ｂ３で成る内枠を有し、外辺Ａ４は、挟む対象物の厚みに対応する横幅を成すとともに、厚みに順応するためのかたちとして略直状を成し、外枠の一端には、開いた挟み付け口（Ｃ）をもつものである。
【０００６】
使用方法として、図３に示すように、挟み付け口を下方に向けて挟む対象物の縁に引っ掛け、挟み付け口が上方に向くまで回転させて据える、とする方法を取るものである。
尚、回転させる過程で、挟む対象物から外れないよう内辺Ｂ２が、一定の横幅（即ち、一定の長さ）をもつ、とするものである。
【発明の効果】
【０００７】
厚みが嵩んだ書類にも使用できるクリップを得た。
縦長の形態、あるいは横長の形態など、任意にデザインできるクリップを得た。
【０００８】
外枠の一端に挟み付け口（Ｃ）を設け、挟み付ける方法として、挟み付け口（Ｃ）を下方に向けて被挟持体の縁に引っ掛け、挟み付け口（Ｃ）が上方に向くまで回転させて据える、とする方法をとることにより、厚みが嵩んだ書類にも使用できるものとなった。また、浅く挟み付けることができるなど、任意の形態にデザインできるものとなった。
【図面の簡単な説明】
【０００９】
【図１】従来のクリップ（特許文献１のクリップ）である。
【図２】本発明のクリップである。
【図３】本クリップの使い方を説明する図である。
【図４】本発明のクリップである。
【図５】本発明のクリップである。
【図６】本発明のクリップである。
【図７】書類を挟み綴じた様子を示した図である。
【図８】本発明のクリップである。
【図９】本発明のクリップである。
【発明を実施するための形態】
【００１０】
以下、図を通して説明する。
本クリップは、線材を一連に平たく折り曲げて成すクリップである。依って、平面図として見たかたちで説明する。
【００１１】
図１を説明する。
図１は、従来のクリップ（特許文献１のクリップ）である。
特許文献１のクリップは、ゼムクリップの一端に挿入口を設けただけのものであって、ゼムクリップそのものである。
仮に、特許文献１に於ける挿入口が、本発明の挟み付け口（Ｃ）と同じであるとしても、特許文献１のクリップは、本発明のクリップと同様に、回転させて据える（挟み付ける）方法を以って使用できるものではない、また、同様に使用できるものには成し得ない制約を抱えている。
【００１２】
特許文献１のクリップ、即ち、ゼムクリップの成り立ち、あるいは制約について、図１(１)(２)を以って説明する。
【００１３】
ゼムクリップの内枠（内辺Ｂ１と内辺Ｂ３）は、一本の指先の腹で押え得る横幅（ｗ）の内に収め、挟み付けに際して指先で押し出し得る形態を成す、というものである。
市販されているゼムクリップを調査してみると、内辺Ｂ１と内辺Ｂ３との外間隔（ｗ：使用の線材の太さを含めた間隔)は、概ね１２ミリほどが上限になっている。
内辺Ｂ１と内辺Ｂ３との内間隔（ｖ：使用の線材の太さを含まない間隔、即ち、空間）が、概ね１５ミリ以上のものになると指先で押し難くなり、実用に適さないものになってしまう。
【００１４】
上記したように、ゼムクリップは、使用する方法、即ち、挟み付ける方法に制約された形状、形態を成したものである、ということができる。
【００１５】
本発明は、使用する方法を変えることによって、ゼムクリップの使い方では叶えられない形状、形態、及び機能を得ることができる、と考えたものである。
【００１６】
本クリップは、例えば、内辺Ｂ１と内辺Ｂ３との内間隔（ｖ）が、１５ミリ、あるいは２０ミリ、あるいはそれ以上であっても実用できるよう、ゼムクリップとは異なる挟み付け方法をとる、とするものである。
【００１７】
特許文献１のクリップは、挟み付け口（挿入口）を下方に向けて縦方向に押し下げて挟み付ける方法をとるものであるのに対し、
本発明のクリップは、挟み付け口（Ｃ）を下方に向けて、書類など対象物（Ｐ）の縁に引っ掛け、挟み付け口（Ｃ）が上方に向くまで回転させて据える（挟み付ける）、とする使用方法をとるものである。
そのためのかたちとして、外枠の一端に開いた挟み付け口（Ｃ）を設けたものである。
【００１８】
この点、特許文献１のものは、前記したように内辺Ｂ１と内辺Ｂ３を１本の指先の腹で押え得るものとしており、自ずと、内辺Ｂ２の長さが短くなる、即ち、横幅が狭幅になる。それ故に、本クリップのように回転させて据える方法での使用に適うものではない。云いかえるなら、回転させて据える操作の途上で、クリップの長手方向（内辺Ｂ１、Ｂ３）が横方に向いた瞬間（即ち、内辺Ｂ２が縦に向いた瞬間）に挟む対象物から外れてしまう。
【００１９】
本クリップは、回転させる操作時に被挟持体の縁から外れないよう、内辺Ｂ２について一定の長さ（横幅）をもつ、とするものである。
また、本クリップは、厚みの厚めのものに使用できるクリップとして、厚みに順応できるよう外辺Ａ４を略直状に延びるかたちにするとともに、厚みに対応する一定の長さ（横幅）をもつ、とするものである。因みに、上記の横幅は挟み付けた状態に於いて安定した状態に据わる適切な手段ともなる。
【００２０】
上記したように、本クリップの特徴は、回転させて据える方法を取るものであること、そのために外枠の一端に開いた挟み付け口（Ｃ）をもち、回転させる途上で挟み付ける対象物から外れないよう、内辺Ｂ２が一定の長さ（横幅）をもつ、としたものである。
回転させて据える方法を取ることによって、ゼムクリップの場合であれば、内辺Ｂ２と外辺Ａ２との間隔（ｎ）は、一定の差し出し幅をもつが、本クリップはその必要がなくなり、また、指押えとするための横幅（ｗ）をもつ必要もなくなる、即ち、内辺Ｂ１と内辺Ｂ３との間隔（ｗ）が、一本の指先の腹で押え得ない間隔であっても良い。また、横幅（ｅ）が、縦幅（ｍ）より長くても良い。内辺Ｂ２と外辺Ａ２との間隔（ｎ）は任意の間隔で良い、あるいは近接するものであっても良い、とするものである。
【００２１】
前記したように、本発明のクリップは、ゼムクリップでは挟み得ない厚みの厚い書類にも使用できるクリップであって、厚みに順応するための形態として、外辺Ａ４は略直状に延びた形態を成すものである。
因みに、ゼムクリップであっても実開昭５８−９７６８の第２図に示されたもののように、外辺Ａ４が略直状に延びる形態を成したものもあるが、前記したように、内辺Ｂ１と内辺Ｂ３との外間隔（ｗ）は、概ね１２ミリほどを上限とするものであって、外辺Ａ４の長さ（横幅）は任意に設定できるものではなく、ゼムクリップとしての使い方から受ける制約から免れることはできない。
【００２２】
以上に、特許文献１のクリップと、本発明との違いについて説明した。
以下、本発明のクリップについて説明する。
【００２３】
図２を説明する。
図２は、本発明のクリップである。線材を平たく折り曲げて成したもので、外辺Ａ１、Ａ２、Ａ３、Ａ４で成る外枠と、内辺Ｂ１、Ｂ２、Ｂ３で成る内枠を有し、外辺Ａ４は略直状に延びて成る。尚、外枠の一端に開いた挟み付け口（Ｃ）を設けたものである。
【００２４】
図３を説明する。
図３は、本クリップの使い方、即ち、挟み付ける操作を説明する図である。
図３(１)に示すように、挟み付け口を下方に向けて被挟持体（横線で表示）の縁に挟み付け口を引っ掛け、図３(２)に示すように、回転させながら外辺Ａ１、Ａ２を挟み付け、図３(３)に示すように、更に回転させ、図３(４)に示す状態、即ち、挟み付け口が上方に向いた状態に据える、と云うものである。
因みに、本クリップを取り外す際には、ゼムクリップと同様に上方に引き抜く、又は、挟み付け操作の回転方向に、更に回転させて抜き外すのも良い。
【００２５】
図４を説明する。
本クリップは、図４(１)(２)(３)(４)に示すように、外辺Ａ２と内辺Ｂ２は任意のかたちで向かい合うものであって良い。即ち、外辺Ａ２及び内辺Ｂ２は、それぞれ直状でも、折り曲がっても、湾曲しても良い。
また、外辺Ａ２と内辺Ｂ２の関係は、寄り添うかたちであっても、寄り添わないかたちであっても良い。即ち、外辺Ａ２と内辺Ｂ２との間隔は、任意であって良い。
【００２６】
図５を説明する。
図２、４に示したクリップは、外辺Ａ１と内辺Ｂ１、並びに外辺Ａ３と内辺Ｂ３が、近接した状態で並行するかたちをとったものであるのに対し、図５に示すものは、間隔をとって並行するかたちをとったものである。
厚みが厚い書類あるいは板に挟み付ける用途のクリップについては、外辺Ａ１と内辺Ｂ１、並びに外辺Ａ３と内辺Ｂ３の関係は、やや間隔をとったものにすると使い易い。
云うならば、任意の間隔、任意のかたちに設定して良い。
【００２７】
図６を説明する。
図６(１)(２)(３)は、浅く挟み付けるクリップである。
【００２８】
図２、４、５に示したものは、縦長の形態を成すものであるのに対し、図６に示すものは横長の形態を成すものである。
図６(１)は、図６(２)より横幅が短いものを示した。図６(２)は、図６(１)より横幅が長いものを示した。
図６に示すものは、図７に示すように、ホッチキスで綴じる如きに浅い位置で挟み押えることができるよう、縦幅を短くした形態のものである。
即ち、外辺Ａ４の長さ（横幅）よりも、外辺Ａ３の長さ（縦幅）の方が短い形態を成す、と云うものでもある。
また、図６に示すものは、浅く挟み付けるクリップである、とすることから、内辺Ｂ２と外辺Ａ２との間隔が無いほどに、近接した形態をとったものである。
【００２９】
図６(１)と図６(２)に示したものは、縦の長さを同じにしたものである。同じ材質、同じ太さ（径）の線材を使用した場合、図６(２)に示したものより、図６(１)に示したものの方がバネは強く働く、云いかえるなら、図６(１)に示したものより図６(２)に示したものの方がバネは緩く働くものになる。
また、同じ材質の線材を用い、同じ大きさのクリップを成すとき、太い線材を用いればバネは硬く強く働き、細い線材を用いればバネは緩く弱く働くものになる。
クリップを作る（製造する）際には、どの程度の厚みの書類に使用するクリップとするかを想定した上で、その厚みに対応する横幅と、バネの効き具合とを見定めることが大事である。
【００３０】
図６(３)は、内辺Ｂ２を内側に折り曲げて、外辺Ａ２との間隔をとったものである。
内辺Ｂ２を内側に折り曲げたのは、縦幅を広げないかたちのもとで、外辺Ａ２との間隔をとったものである。
この間隔は、挟み口が押し広がってしまったとき、手直しをする上で、内枠を押し戻し易くするためのかたちである。
【００３１】
図７を説明する。
図７は、図６に示したクリップを使用して、ホッチキスで止めた如く浅い位置で綴じた様子を示した図である。
【００３２】
図８を説明する。
図８は、挟み付け口の実施例を示したものである。
図２、４、５、６に示した挟み付け口は、外辺Ａ１の端を外側に折り曲げて挟み付け口（Ｃ）を成したものであるが、図８(１)(２)に示すように、外側にまるめ折っても良い、あるいは図８(３)に示すように、内側に折り曲げるかたちをとっても良い。
尚、まるめ折るかたち、あるいは折り曲げるかたちは、任意であって良い。
【００３３】
図８(４)に示すように、挟み付け口（Ｃ）を、外辺Ａ１の端に隣り合う外辺Ａ４と内辺Ｂ１との角（かど）を取るかたちで設けるのも良い。
因みに、本書に於いては、図８(４)のように、外辺Ａ１の端と隣り合う位置に設ける挟み付け口（Ｃ）についても、図８(１)(２)(３)に示した挟み付け口と同じく「外枠の一端に成す開いた挟み付け口」の文言あるいは表現に含むものとする。
【００３４】
図９を説明する。
図９(１)(２)(３)(４)に示すクリップも、本発明のクリップである。
図９は、本クリップについて、機能を損なわない限り任意の形態を成して良いことを説明するもので、それぞれが実施例の１つである。
【００３５】
実施例に於いては、クリップの大きさに対応して、＃１６（１.６ミリ径）、＃１４（２.０ミリ径）、＃１２（２.６ミリ径）の金属線を使用した。
使用途やクリップの大きさに対応してバネの効き具合を勘案し、材料、材質、太さ（径）などを選択することが大切である。
本クリップは、使用する材料、材質、太さなどについて限定するものではなく、任意に決めて良い。
【００３６】
本クリップは、その機能を損なわない限り、全体あるいは部分について大きさ（サイズ）、輪郭、形状、形態、デザインなど任意に決めて良い。
本クリップは、使途に応じて小さいサイズのものから大きいサイズのものまで多様な形態をとるものである。
【００３７】
本発明は、全体の図を通して発明の全容を説明しているものであって、個々の図で説明した技術内容によって、請求項に記載する技術内容は限定されるものではない。
【産業上の利用可能性】
【００３８】
便利に使用されているゼムクリップも、厚みが嵩んだ書類に使用できない不便がある。
例えば、山形クリップを使用した場合には、クリップ自体の厚みが邪魔になる。
本出願のクリップは、厚みが嵩んだ書類にも便利に使えて、ゼムクリップのように邪魔にならないかたちを以って挟むことができるものである。
【符号の説明】
【００３９】
Ａ      外辺Ａ１、Ａ２、Ａ３、Ａ４で成る外枠
Ｂ      内辺Ｂ１、Ｂ２、Ｂ３で成る内枠
Ｃ      挟み付け口、挟み付けるための開いた間口
Ｐ      被挟持体、挟む対象物、書類、板
【手続補正２】
【補正対象書類名】特許請求の範囲
【補正対象項目名】全文
【補正方法】変更
【補正の内容】
【特許請求の範囲】
【請求項１】
線材が一連に平たく折り曲がって成る、
外辺Ａ１、Ａ２、Ａ３、Ａ４で成る外枠と、外枠の一端から外枠の内側に曲り込んだ内辺Ｂ１、Ｂ２、Ｂ３で成る内枠を有す、
外辺Ａ４は、略直状を成す、
外枠の一端に、開いた挟み付け口（Ｃ）を有する、ことを特徴とするクリップ。
【請求項２】
線材が一連に平たく折り曲がって成る、
外辺Ａ１、Ａ２、Ａ３、Ａ４で成る外枠と、外枠の一端から外枠の内側に曲り込んだ内辺Ｂ１、Ｂ２、Ｂ３で成る内枠を有し、
外枠の一端に、開いた挟み付け口（Ｃ）を有して成り、外枠Ａ４の長さ（横幅）が、外辺Ａ３の長さ（縦幅）よりも長幅で成る、ことを特徴とするクリップ。
【請求項３】
略一周する外枠と、外枠の一端から外枠の内側に曲り込んだ内枠を有し、外枠の一端に、開いた挟み付け口（Ｃ）を有して成るクリップの挟み付け方法であって、
書類など被挟持体の縁に、挟み付け口(Ｃ)を下方に向けて引っ掛け、挟み付け口(Ｃ)が上方に向くまで回転させて据える、とする挟み付け方法。